(57)【要約】【課題】荷造りベルトを何回でも使用することができ、特別な包装機械がなくても再包装ができ、畳表に傷つけることの少ない畳表の荷造り具を提供する。【解決手段】長尺の畳表１０を丸めて包装シート１１で包み、荷造りベルト１３で荷造りするものにおいて、荷造りベルト１３の一方端部をベルト通し２１に固定したバックル本体１５と、荷造りベルト１３の他方端部をベルト通し２５に移動自在に通して一体の係止ばね部２４をバックル本体１５に係止する係止具２２とにより形成したバックル１４と、係止具２２側の荷造りベルト１３を締め付けた後に、係止具２２から引き出された荷造りベルト１３の防止具２６と、バックル１４とずれ防止具２６を被覆する保護筒３３とを具備している。【選択図】図１
0003127228.tif 000002
【実用新案登録請求の範囲】
【請求項１】
長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して一体の係止ばね部２４を前記バックル本体１５に着脱自在に係止する係止具２２とにより形成したバックル１４を具備し、前記係止具２２側の荷造りベルト１３を締め付けて荷造りするようにしたことを特徴とする畳表の荷造り具。
【請求項２】
長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して一体の係止ばね部２４を前記バックル本体１５に着脱自在に係止する係止具２２とにより形成したバックル１４と、前記係止具２２側の荷造りベルト１３を締め付けた後、前記バックル１４を被覆する保護筒３３とを具備したことを特徴とする畳表の荷造り具。
【請求項３】
長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して一体の係止ばね部２４を前記バックル本体１５に着脱自在に係止する係止具２２とにより形成したバックル１４と、前記係止具２２側の荷造りベルト１３を締め付けた後に、前記係止具２２から引き出された荷造りベルト１３における前記係止具２２に接近した位置で保持されるずれ防止具２６とを具備したことを特徴とする畳表の荷造り具。
【請求項４】
長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して一体の係止ばね部２４を前記バックル本体１５に着脱自在に係止する係止具２２とにより形成したバックル１４と、前記係止具２２側の荷造りベルト１３を締め付けた後に、前記係止具２２から引き出された荷造りベルト１３における前記係止具２２に接近した位置で保持されるずれ防止具２６と、前記ずれ防止具２６を保持した後、前記バックル１４とずれ防止具２６を被覆する保護筒３３とを具備したことを特徴とする畳表の荷造り具。
【考案の詳細な説明】
【技術分野】
【０００１】
本考案は、長尺の畳表を丸めて包装するときに使用される畳表の荷造り具に関するものである。
【背景技術】
【０００２】
一般的な畳表１０の１畳の大きさは、幅が９０〜１００ｍｍ、長さが１８０〜２００ｍｍである。しかし、イ草と畳糸を原料として織機で織り上がった状態では、図８に示すように、幅が９０〜１００ｍｍ、長さが２４〜２５ｍである。
このような長尺の畳表１０は、切断することなく巻き込んだり、折り畳んだりして丸めて運搬される。
【０００３】
例えば、図９のように、長尺の畳表１０を直径が約３００ｍｍとなるように巻き込んだものを２つ並べ、防水膜でラミネートした包装シート１１で包み込み、硬質のプラスチック製の荷造りテープ１２で横３箇所、縦１〜２箇所程度縛り付ける。
また、長尺の２枚の畳表１０を幅約６００ｍｍ、高さ約３００ｍｍに折り畳んで、防水膜でラミネートした包装シート１１で包み込み、硬質のプラスチック製の荷造りテープ１２で横３箇所、縦１〜２箇所程度縛り付ける。
これらの状態で１個の重さが約５０ｋｇとなる。
【考案の開示】
【考案が解決しようとする課題】
【０００４】
畳表１０は、運搬の途中で、荷造りテープ１２を切断して包装シート１１を開き、畳表１０におけるイ草の良し悪し、傷の有無、カビが生えていないか、などの検査を行い、再包装することが行われる。
【０００５】
検査の都度、荷造りテープ１２を切断して包装シート１１を開き、再包装するのは、切断された荷造りテープ１２がゴミとなって廃棄処分が面倒なだけでなく、荷造りテープ１２が硬質で扱いにくく、また、再包装のための包装機械と荷造りテープ１２が必要になる。硬質のプラスチック製の荷造りテープ１２は、接着部分が剥がれ易く、危険を伴う。
イ草の内部組織は、海綿体になっているため、硬質の荷造りテープ１２で畳表１０を強く締め付けたり、再包装して何回も締め付けなおしたりすると、傷が付きやすく、製品価値が低下する恐れがある。
【０００６】
本考案は、荷造りに使用した荷造りベルトを何回でも使用することができ、特別な包装機械がなくても再包装ができ、さらに、畳表に傷つけることの少ない畳表の荷造り具を提供することを目的とするものである。
【課題を解決するための手段】
【０００７】
請求項１記載の考案に係る畳表の荷造り具は、長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して係止ばね部２４を前記バックル本体１５に着脱自在に係止する係止具２２とにより形成したバックル１４を具備し、前記係止具２２側の荷造りベルト１３を締め付けて荷造りするようにしたことを特徴とする。
【０００８】
請求項２記載の考案に係る畳表の荷造り具は、長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して係止ばね部２４を前記バックル本体１５に着脱自在に係止する係止具２２とにより形成したバックル１４と、前記係止具２２側の荷造りベルト１３を締め付けた後、前記バックル１４を被覆する保護筒３３とを具備したことを特徴とする。
【０００９】
請求項３記載の考案に係る畳表の荷造り具は、長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して係止ばね部２４を前記バックル本体１５に着脱自在に係止する係止具２２とにより形成したバックル１４と、前記係止具２２側の荷造りベルト１３を締め付けた後に、前記係止具２２から引き出された荷造りベルト１３における前記係止具２２に接近した位置で保持されるずれ防止具２６とを具備したことを特徴とする。
【００１０】
請求項４記載の考案に係る畳表の荷造り具は、長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して係止ばね部２４を前記バックル本体１５に着脱自在に係止する係止具２２とにより形成したバックル１４と、前記係止具２２側の荷造りベルト１３を締め付けた後に、前記係止具２２から引き出された荷造りベルト１３における前記係止具２２に接近した位置で保持されるずれ防止具２６と、前記ずれ防止具２６を保持した後、前記バックル１４とずれ防止具２６を被覆する保護筒３３とを具備したことを特徴とする。
【考案の効果】
【００１１】
請求項１記載の考案によれば、長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して係止ばね部２４を前記バックル本体１５に着脱自在に係止する係止具２２とにより形成したバックル１４を具備し、前記係止具２２側の荷造りベルト１３を締め付けて荷造りするようにしたので、検査を何回行っても、バックル１４のバックル本体１５と係止具２２を着脱して再包装することができ、荷造りベルト１３を切断する必要がない。また、本考案の畳表の荷造り具を廃棄処分することないので、荷造りに使用した荷造りベルト１３を何回でも使用することができる。さらに、特別な包装機械がなくても再包装ができる。
【００１２】
請求項２記載の考案によれば、長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して係止ばね部２４を前記バックル本体１５に着脱自在に係止する係止具２２とにより形成したバックル１４と、前記係止具２２側の荷造りベルト１３を締め付けた後、前記バックル１４を被覆する保護筒３３とを具備したので、イ草の内部組織が海綿体になっている畳表１０に傷を付けることがなく、製品価値を低下させることがない。
【００１３】
請求項３記載の考案によれば、長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して係止ばね部２４を前記バックル本体１５に着脱自在に係止する係止具２２とにより形成したバックル１４と、前記係止具２２側の荷造りベルト１３を締め付けた後に、前記係止具２２から引き出された荷造りベルト１３における前記係止具２２に接近した位置で保持されるずれ防止具２６とを具備したので、係止具２２側の荷造りベルト１３を締め付けた後で荷造りベルト１３の緩みを防止して、いつも確実に梱包することができる。
【００１４】
請求項４記載の考案によれば、長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して係止ばね部２４を前記バックル本体１５に着脱自在に係止する係止具２２とにより形成したバックル１４と、前記係止具２２側の荷造りベルト１３を締め付けた後に、前記係止具２２から引き出された荷造りベルト１３における前記係止具２２に接近した位置で保持されるずれ防止具２６と、前記ずれ防止具２６を保持した後、前記バックル１４とずれ防止具２６を被覆する保護筒３３とを具備したので、係止具２２側の荷造りベルト１３を締め付けた後で荷造りベルト１３の緩みを防止して、いつも確実に梱包することができるとともに、イ草の内部組織が海綿体になっている畳表１０に傷を付けることがなく、製品価値を低下させることがない。
【考案を実施するための最良の形態】
【００１５】
本考案の畳表の荷造り具は、長尺の畳表１０を丸めて包装シート１１で包み、荷造りベルト１３により荷造りするための畳表の荷造り具において、前記荷造りベルト１３の一方端部をベルト通し２１に固定的に連結したバックル本体１５と、前記荷造りベルト１３の他方端部をベルト通し２５に移動自在に通して係止ばね部２４を前記バックル本体１５に着脱自在に係止する係止具２２とにより形成したバックル１４と、前記係止具２２側の荷造りベルト１３を締め付けた後に、前記係止具２２から引き出された荷造りベルト１３における前記係止具２２に接近した位置で保持されるずれ防止具２６とからなる。
【００１６】
このような構成において、荷造りベルト１３を、包装シート１１を被せた畳表１０に巻きつけ、バックル１４を構成するバックル本体１５の挿入口１６に係止具２２の係止ばね部２４を差し込む。係止ばね部２４は、ガイド壁１８で互いに内側に湾曲しつつ挿入され、ガイド壁１８を過ぎると、係止ばね部２４が復帰して係止段部１７に係止される。係止後、係止具２２から引き出された荷造りベルト１３を強く引き込むと、荷造りベルト１３は係止具２２のベルト通し２５における抵抗に抗して滑りながら引き出されて包装シート１１を締め付ける。畳表１０に傷が付かない程度に引き込むと、係止具２２におけるベルト通し２５の抵抗で包装シート１１を締め付けたまま保持される。しかし、荷造りベルト１３がずれて緩む恐れがある場合には、ずれ防止具２６の圧接ハンドル３０を立ててずれ防止具２６をできるだけ係止具２２に近づけた位置に移動し、圧接ハンドル３０を軸３１を支点として押し込むことにより、圧接凹凸面３２と台座２７との間で荷造りベルト１３が圧接される。
荷造りベルト１３による締め付けが終了したら、荷造りベルト１３に被せてあった保護筒３３を移動して１４４とずれ防止具２６が露出しないように包み込み、包装シート１１に傷つくのを可能な限り防止する。
【実施例１】
【００１７】
本考案の実施例を図面に基づいて説明する。
図１において、畳表１０は、長尺の畳表１０を巻き込んだり、折り畳んだりして丸めた畳表１０で、この畳表１０は、これまでと同様包装シート１１で被覆される。
この包装シート１１の上から荷造りベルト１３，バックル１４，ずれ防止具２６，保護筒３３によって構成された本考案の畳表の荷造り具にて包装される。
【００１８】
前記荷造りベルト１３は、強靭で、軟質の合成繊維等を用いて２０〜５０ｍｍ幅に織り込んだもので、屈曲性は有するが、伸縮性はできるだけ少ないことが好ましい。
前記バックル１４は、バックル本体１５とこのバックル本体１５に着脱自在に結合される係止具２２とからなる。このバックル１４の係止具２２側の近くにずれ防止具２６が設けられる。このバックル１４とずれ防止具２６は、荷造りベルト１３による締め付け後に保護筒３３を移動させて畳表１０に傷つけないようにバックル１４とずれ防止具２６を包み込む。
【００１９】
前記バックル本体１５は、図５（ａ）（ｂ）（ｃ）に示されるように、扁平な筒状をなし、前面から挿入口１６が形成され、両側部が内側にテーパーを有するガイド壁１８となり、このガイド壁１８の途中に係止段部１７が形成され、この係止段部１７から先が開口している。また、挿入口１６の中央には、ガイド孔１９と誤挿入防止突条２０が形成され、挿入口１６の他端部には、荷造りベルト１３を連結するためのベルト通し２１が設けられている。
【００２０】
前記係止具２２は、一方端部に荷造りベルト１３を折り返して巻き付けるためのベルト通し２５が形成され、他方端部には、中央のガイド棒２３と両側の係止ばね部２４が設けられている。前記ガイド棒２３は、断面が下向きコ字形をなし、前記ガイド孔１９に嵌合する。このガイド棒２３は、表裏反転してガイド孔１９に挿入すると、誤挿入防止突条２０に邪魔されて挿入できないようになっている。
【００２１】
前記ずれ防止具２６は、図７（ａ）（ｂ）（ｃ）に示すように、荷造りベルト１３の幅よりやや大きな幅の台座２７に、両側に側壁部２８を一体に設け、この側壁部２８の間に、レ字形の圧接ハンドル３０の両端の軸３１を揺動自在に嵌合し、この圧接ハンドル３０の他方端部が圧接凹凸面３２となっている。また、台座２７の端部には、ベルト通し２９が形成されている。
【００２２】
以上のように構成された畳表の荷造り具を用いて、長尺の畳表１０を巻き込むか折り畳み丸めて、上から包装シート１１を被せる。
バックル１４におけるバックル本体１５のベルト通し２１には、予め荷造りベルト１３を通して輪に結合した状態で連結しておくとともに、ベルト１３の端部を引き手１３ａとしてやや延ばしておく。また、バックル本体１５に連結された荷造りベルト１３には、保護筒３３を予め嵌めこんでおく。前記バックル本体１５に連結された荷造りベルト１３の他端部は、バックル１４における係止具２２のベルト通し２５に内側下から差し込み、外側上からさらに差し込み引き出す。引き出された部分は、引き手１３ｂとなる。引き出された荷造りベルト１３は、ずれ防止具２６の台座２７と圧接ハンドル３０の間を通り、さらに、ベルト通し２９に上から差し込まれて下から引き出される。
【００２３】
荷造りベルト１３を、包装シート１１を被せた畳表１０に巻きつけ、バックル１４を構成するバックル本体１５の挿入口１６に係止具２２の係止ばね部２４を差し込む。係止ばね部２４は、ガイド壁１８で互いに内側に湾曲しつつ挿入され、ガイド壁１８を過ぎると、係止ばね部２４が復帰して係止段部１７に係止される。係止後、係止具２２から引き出された荷造りベルト１３の引き手１３ｂ側を一方の手で強く引き込むが、引き手１３ｂ側のみを引き込むと、バックル１４とベルト１３が移動して締め付けが不十分になる恐れがあるので、他方の手で引き手１３ａ側を握り、移動するのを支えながら他方の引き手１３ｂ側を一方の手で強く引き込むことにより、荷造りベルト１３は係止具２２のベルト通し２５における抵抗に抗して滑りながら引き出されて包装シート１１をしっかりと締め付ける。畳表１０に傷が付かない程度に引き込むと、係止具２２におけるベルト通し２５の抵抗で包装シート１１を締め付けたまま保持される。しかし、荷造りベルト１３がずれて緩む恐れがある場合には、ずれ防止具２６の圧接ハンドル３０を立ててずれ防止具２６をできるだけ係止具２２に近づけた位置に移動し、圧接ハンドル３０を、軸３１を支点として押し込むことにより、圧接凹凸面３２と台座２７との間で荷造りベルト１３が圧接されて固定され、荷造りベルト１３がずれても係止具２２で停止してそれ以上のずれが防止される。
荷造りベルト１３による締め付けが終了したら、荷造りベルト１３に被せてあった保護筒３３を移動してバックル１４とずれ防止具２６が露出しないように包み込み、包装シート１１に傷つくのを可能な限り防止する。
【００２４】
同様にして、図２に示すように、荷造りベルト１３により横向きに３箇所で縛り付け、かつ保護筒３３でバックル１４とずれ防止具２６を包み込み、縦向きに１箇所で縛り付け、かつ保護筒３３でバックル１４とずれ防止具２６を包み込む。このとき、梱包されたものを重ねても畳表１０に傷つかないように、バックル１４とずれ防止具２６の位置は、可能な限り窪んだ位置に来るようにする。
【００２５】
図３は、長尺の畳表１０を折り畳んだものを、荷造りベルト１３により横向きに３箇所で縛り付け、かつ保護筒３３でバックル１４とずれ防止具２６を包み込み、縦向きに１箇所で縛り付け、かつ保護筒３３でバックル１４とずれ防止具２６を包み込む例を示している。
図３は、長尺の畳表１０を折り畳んだものを、荷造りベルト１３により横向きに３箇所で縛り付け、かつ保護筒３３でバックル１４とずれ防止具２６を包み込み、縦向きに２箇所で縛り付け、かつ保護筒３３でバックル１４とずれ防止具２６を包み込む例を示している。
【図面の簡単な説明】
【００２６】
【図１】本考案による畳表の荷造り具の一実施例を示す一部の断面図である。
【図２】本考案による畳表の荷造り具を用いて荷造りした状態を示す斜視図である。
【図３】本考案による畳表の荷造り具を用いて荷造りした状態の他の使用例を示す斜視図である。
【図４】本考案による畳表の荷造り具を用いて荷造りした状態のさらに他の使用例を示す平面図である。
【図５】バックル１４を構成するバックル本体１５を示すもので、（ａ）は、一部切り欠いた平面図、（ｂ）は、縦断面図、（ｃ）は、左側面図である。
【図６】バックル１４を構成する係止具２２を示すもので、（ａ）は、平面図、（ｂ）は、縦断面図、（ｃ）は、左側面図である。
【図７】ずれ防止具２６を示すもので、（ａ）は、圧接ハンドル３０を立ち上げた縦断面図、（ｂ）は、圧接ハンドル３０を押下げて荷造りベルト１３を圧接した縦断面図、（ｃ）は、圧接ハンドル３０を押下げて荷造りベルト１３を圧接した平面図である。
【図８】長尺の畳表１０の斜視図である。
【図９】従来の荷造り状態を示す斜視図である。
【符号の説明】
【００２７】
１０…畳表、１１…包装シート、１２…荷造りテープ、１３…荷造りベルト、１４…バックル、１６…挿入口、１７…係止段部、１８…ガイド壁、１９…ガイド孔、２０…誤挿入防止突条、２１…ベルト通し、２２…係止具、２３…ガイド棒、２４…係止ばね部、２５…ベルト通し、２６…ずれ防止具、２７…台座、２８…側壁部、２９…ベルト通し、３０…圧接ハンドル、３１…軸、３２…圧接凹凸面、３３…保護筒。
【図１】
0003127228.tif 000003
【図２】
0003127228.tif 000004
【図３】
0003127228.tif 000005
【図４】
0003127228.tif 000006
【図５】
0003127228.tif 000007
【図６】
0003127228.tif 000008
【図７】
0003127228.tif 000009
【図８】
0003127228.tif 000010
【図９】
0003127228.tif 000011